(57)【要約】【課題】マスクの周縁部と肌との間に隙間が生じないようにし、長時間の使用に耐え得るように肌触りを良くすると共に、圧迫感を感じることなく、繰返し洗濯してもマスク本体が縮まず、かつシワになりにくい立体マスクを提供すること。【解決手段】左右一対で表布１４、中布１５及び裏布１６から構成される左シート１１と右シート１２からなるマスク本体１０Ａと左右一対の耳掛紐１３からなる立体マスク１０であって、前記シートの左右端部は、一方の端部が外側へ弧状に形成され、他方の端部は帯部が形成され、一方のシートの弧状に形成した端部と、他方のシートの弧状に形成した端部とを接合して、マスク本体１０Ａがカップ状に形成されるようにする。  また、中布の上端の所定位置に形状保持機能を備えた可撓性のノーズフィット片１８を貼着した。【選択図】図１
2006043227.tif 000002
【特許請求の範囲】
【請求項１】
左右一対のシートからなるマスク本体と左右一対の耳掛紐から構成される立体マスクであって、前記シートの左右端部は、一方の端部が外側へ弧状に形成され、他方の端部は帯部が形成され、一方のシートの弧状に形成した端部と、他方のシートの弧状に形成した端部とを接合して、マスク本体がカップ状に形成されるようにすると共に、前記耳掛紐は、長手方向に伸縮自在な平編の編紐から形成され、前記帯部の上端に耳掛紐の一端が接合され、前記帯部の下端に前記耳掛紐の他端が接合されたことを特徴とする立体マスク。
【請求項２】
前記シートは少なくとも１枚の織布からなる表布と、少なくとも１枚の織布からなる裏布との間に少なくとも１枚の不織布からなる中布を挟持して構成されるようにしたことを特徴とする請求項１に記載の立体マスク。
【請求項３】
前記表布は防縮加工と防しわ加工が施された織布から形成され、一方の端部を折曲して表帯部を形成したことを特徴とする請求項２に記載の立体マスク。
【請求項４】
前記中布は熱可塑性の合成繊維を高密度に積層し、かつ低伸縮性を備えた不織布から形成したことを特徴とする請求項２に記載の立体マスク。
【請求項５】
前記裏布は少なくとも１枚のガーゼから形成され、一方の端部を折曲して裏帯部を形成したことを特徴とする請求項２に記載の立体マスク。
【請求項６】
前記シートを構成する布において、少なくとも一枚の布の上端部所定位置へ、短冊状に形成した可撓性と形状保持機能を備えた合成樹脂材からなるノーズフィット片を貼着すると共に、前記表帯部と前記裏帯部を重ね合わせて帯部を形成したことを特徴とする請求項１及び２に記載の立体マスク。
【発明の詳細な説明】
【技術分野】
【０００１】
本発明は、顔表面の凹凸に合うように形成した立体マスクに関する。
【背景技術】
【０００２】
従来の立体マスクは、折り目をつけて畳まれた一枚の不織布によって鼻腔及び口許を覆うようにし、不織布の上端部に一本の短冊状の合成樹脂材若しくは針金を接着して構成している。しかし、唇の動きに合わせて不織布も動いてしまい、小鼻脇に生じる隙間から花粉等が侵入してしまうこと。また、合成樹脂材が鼻を挟み込むように形成されるため圧迫感が生じること等が問題として挙げられていた。
そこで、特開平０９−１４９９４６号公報に開示されているように、口許及び鼻腔とを被覆する低伸縮性の不織布を積層してカップ状に形成した覆い部と、該覆い部に連設して、両端へ高伸縮性の不織布を用いた耳掛け部とからなる立体マスクがある。このマスクによって、不織布と口許との間に空間を設けて、不織布が動いてしまったり、鼻を挟まれる事による圧迫感を感じる上記の問題は解決された。
【特許文献１】特開平０９−１４９９４６号公報
【発明の開示】
【発明が解決しようとする課題】
【０００３】
しかしながら、上記の立体マスクは、口許及び鼻孔周辺を覆う覆い部の上下縁部まで低伸縮性の不織布のままである。したがって、覆い部に柔軟性が無いため、マスクと顔表面との間に隙間が生じ、隙間から花粉等が口とマスクの間の空間へ侵入してしまう。また、低伸縮性の不織布は布の剛性が高いため、肌触りが悪く長時間の使用によって覆い部の触れる頬部や鼻部に不快感が生じることも考えられる。
そして、覆い部を不織布から形成しているため、洗濯を繰り返すことによって、積層した繊維が剥がれたり、シワができたりして見栄えが悪くなってしまう。また、耳掛部に用いた高伸縮性の不織布も洗濯を繰り返すことによって伸びきってしまう。
【０００４】
本発明は上記の課題を鑑み為された物であって、マスクの周縁部と肌との間に隙間が生じないようにし、長時間の使用に耐え得るように肌触りを良くすると共に、圧迫感を感じることなく、繰返し洗濯してもマスク本体が縮まず、かつシワになりにくい立体マスクを提供することを目的とする。
【課題を解決するための手段】
【０００５】
上記課題を解決するために本発明は、左右一対のシートからなるマスク本体と左右一対の耳掛紐から構成される立体マスクであって、前記シートの左右端部は、一方の端部が外側へ弧状に形成され、他方の端部は帯部が形成され、一方のシートの弧状に形成した端部と、他方のシートの弧状に形成した端部とを接合して、マスク本体がカップ状に形成されるようにすると共に、前記耳掛紐は、長手方向に伸縮自在な平編の編紐から形成され、前記帯部の上端に前記耳掛紐の一端が接合され、前記帯部の下端に前記耳掛紐の他端が接合されたことを特徴とする。
また好ましくは、前記シートは少なくとも１枚の織布からなる表布と、少なくとも１枚の織布からなる裏布との間に少なくとも１枚の不織布からなる中布を挟持して構成されるようにした。
ここで好ましくは、前記表布は防縮加工と防しわ加工が施された織布から形成され、一方の端部を折曲して表帯部を形成した。
そして好ましくは、前記中布は熱可塑性の合成繊維を高密度に積層し、かつ低伸縮性を備えた不織布から形成した。
さらに好ましくは、前記裏布は少なくとも１枚のガーゼから形成され、一方の端部を折曲して裏帯部を形成した。
また好ましくは、前記シートを構成する布において、少なくとも一枚の布の上端部所定位置へ、短冊状に形成した可撓性と形状保持機能を備えた合成樹脂材からなるノーズフィット片を貼着すると共に、前記表帯部と前記裏帯部を重ね合わせて帯部を形成した。
【発明の効果】
【０００６】
本発明の立体マスクは、マスク本体を左右一対のシートから構成し、マスク本体を拡開したときに口許を覆うようなカップ状に形成されるようにした。したがって、マスク本体と口許との間に空間が生じ、顔の表面に合わせてマスクを着けることができる。そのため、呼吸が容易になり、かつ、唇の動きによってマスク本体がズレる事がなくなる。
また、マスク本体を構成する左右両シートを、表布、中布及び裏布の３層から形成した。したがって、それぞれの層に最適な布を選択して使用することができる。すなわち、表布は、防縮加工と防しわ加工を施した織布等を用いて、見栄えを良くし、かつ洗濯することが可能で、中布は、低伸縮性の不織布等を用いて、カップ状に形成したマスク本体の形状を保持することができ、裏布は、ガーゼ等を用いて、マスク本体が肌に当たる部分の肌触りを良くすることができる。
そして、可撓性と形状保持機能を備えた合成樹脂材からなるノーズフィット片を左右シートの中布上部の所定位置に貼着した。したがって、左右の小鼻部分の形状に合わせて左右のノーズフィット片を撓ませることができる。そのため、ノーズフィット片によって鼻の頭は押さえつけられず、左右ノーズフィット片間でマスク本体が鼻に密着する。
さらに、マスク本体の左右両端部に帯部を形成した。したがって、マスク本体の左右両端部の剛性も上がり、かつマスク本体と耳掛紐の接合部分の剛性が上がる。そのため、マスク本体の左右両端部が折れ曲がり、顔表面とマスク本体との間に隙間が生じてしまうこともなく、耳掛紐がマスク本体から外れてしまうことも防ぐことができる。
【発明を実施するための最良の形態】
【０００７】
本発明の立体マスクは、左右一対のシートからなるマスク本体と左右一対の耳掛紐から構成される。
前記シートの左右端部は、一方の端部が外側へ弧状に形成され、他方の端部は帯部が形成され、一方のシートの弧状に形成した端部と、他方のシートの弧状に形成した端部とを接合して、前記マスク本体がカップ状に形成されるようにする。
前記シートは表布と、中布及び裏布とからなり、前記表布は防縮加工と防しわ加工が施された合成繊維からなる織布等から形成され、他方の端部を折曲して表帯部を形成し、前記中布は熱可塑性の合成繊維を高密度に積層し、かつ低伸縮性を備えた不織布等から形成され、前記裏布はガーゼ等を積層して形成し、他方の端部を折曲して裏帯部を形成し、前記中布の上端の所定位置に短冊状に形成した可撓性と形状保持機能を備えた合成樹脂材からなるノーズフィット片を貼着すると共に、前記表帯部と前記裏帯部を重ね合わせて帯部を形成した。
前記耳掛紐は、長手方向に伸縮自在な平編の編紐から形成され、前記帯部の上端に前記耳掛紐の一端が接合され、前記帯部の下端に前記耳掛紐の他端が接合される。
【実施例１】
【０００８】
本発明の実施例に係る立体マスク１０は、図１に示すようにマスク本体１０Ａと左右一対の耳掛紐１３からなり、マスク本体１０Ａは左右一対の左シート１１と右シート１２から構成され、マスク本体１０Ａの左右両端部にそれぞれ左耳掛紐１３ａと右耳掛紐１３ｂが縫着される。
【０００９】
図２は立体マスク１０の左側面図を示し、左右対称に形成されるシートは略台形状であって、左右両端部の内、一方の端部が外側に向かって弧状に形成され、他方の端部が直線状に形成される。また上端部は下方に向かって弧状に形成され、下端部は直線状に形成される。そして、シートの左右両端部で弧状に形成した互いの端部を接合し、鼻部と口許を覆うカップ状に形成されたマスク本体１０Ａを構成する。
耳掛紐１３はポリウレタン系紡績糸を混紡して編まれた、長手方向に伸縮自在な平編紐であって、マスク本体１０Ａの左右両端部の上端に左右耳掛紐１３の一端が接合され、下端に左右耳掛紐１３の他端がそれぞれ接合される。
【００１０】
シートは表布１４、中布１５及び裏布１６から構成される。図３に表側から見た左右のシートを示して説明する。
左シート１１において、外側に向かって弧状に形成される端部は左端部とし、耳掛紐が接合する端部が右端部とする。また、右シート１２において、外側に向かって弧状に形成される端部は右端部とし、耳掛紐が接合する端部が左端部とする。以下右シート１２について説明する。
表布１４はポリエステル系合成繊維であるテトロン（登録商標）等を用いた織布からなり、防縮加工と防しわ加工が施されている。また織布の裁断部分がほつれることを防ぎ、かつシート１２に剛性を持たせるため、左端部を裏面側へ所定の幅で折り返した表帯部１７ａを形成する。
中布１５は熱可塑性の合成繊維を高密度に積層し、かつ低伸縮性を備えた不織布からなり、左端部は折り返した表帯部１７ａに挟み込まれる。そして、裏面側の上端部に沿って、可撓性と非弾性を備えた合成樹脂板材を短冊状に形成したノーズフィット片１８が所定位置に貼着される。
ノーズフィット片１８はポリオレフィン系合成樹脂からなり、分子配列を一軸方向に配列制御しテープ状に形成したものを所定長さに切断したものであって、針金のように可撓性と変形後の形状保持機能を備えたものである。
裏布１６は少なくとも一枚或は複数枚のガーゼ等が積層されて形成され、表布１４と同様に左端部を表面側へ所定の幅で折り返して裏帯部１７ｂが形成される。
また、左シート１１も図３に示すように同様に構成される。
【００１１】
図３に示した右シート１２の弧状に形成した右端部と左シート１１の弧状に形成した左端部とを、縁カガリ縫い等で縫着し、図１及び図２に示したようにマスク本体１０Ａを構成する。
次に、マスク本体１０Ａの左右両端部の内、一方の端部から他方の端部に向かって上端部と下端部を縁カガリ縫い等で縫着する。ここで縫着した部分の端部では縫糸を余らせて、シートが解けないようにしておく。
そして、所定の長さに形成した耳掛紐１３の一端を帯部１７の表帯部１７ａと裏帯部１７ｂとの間の上端部に挟み込み、他端を帯部１７の表帯部１７ａと裏帯部１７ｂとの間の下端部に挟み込む。その後、マスク本体１０Ａの左右両端部を縫合して図１で示したように立体マスク１０が構成される。
【００１２】
次に立体マスク１０の使用方法を図４に基づいて説明する。
左右シート１１，１２が重ね合わされて、閉じたマスク本体１０Ａを拡開すると、中心部の縫合部分において、マスク本体１０Ａの中心部の上下端部が内側に引き込まれ、舟形のようなカップ状に形成される。中布１５に低伸縮性の不織布を用いたので、耳掛紐１３を引っ張ってもマスク本体１０Ａは潰れずに形状が保持される。
そして、立体マスク１０の耳掛紐１３を左右両耳に掛止し、左右両シート１１，１２の上端部を頬骨の膨らみに合わせ、小鼻部分の曲線に合わせてノーズフィット片１８を撓める。
【００１３】
マスク本体１０Ａを左右一対のシート１１，１２から構成し、マスク本体１０Ａを拡開したときに口許を覆うようなカップ状に形成されるようにした。したがって、マスク本体１０Ａと口許との間に空間が生じ、顔の表面に合わせて立体マスク１０を着けることができる。そのため、呼吸が容易になり、かつ、唇の動きによってマスク本体１０Ａがズレる事がなくなる。
また、マスク本体１０Ａの左右両端部に帯部１７を形成した。したがって、マスク本体１０Ａの左右両端部の剛性も上がり、かつマスク本体１０Ａと耳掛紐１３の接合部分の剛性が上がる。そのため、マスク本体１０Ａの左右両端部が折れ曲がり、顔表面とマスク本体１０Ａとの間に隙間が生じてしまうこともなく、耳掛紐１３がマスク本体１０Ａから外れてしまうことも防ぐことができる。
また、マスク本体１０Ａを構成する左右両シート１１，１２を、表布１４、中布１５及び裏布１６の３層から形成した。
そのため、光触媒やプロビタミン包含糸、またマイナスイオンを発生する布等、肌に密着させたほうが良い付加機能、または外気にさらしたほうが良い付加機能等、各布に最適な機能を付加して使用することができる。
そして、可撓性と形状保持機能を備えた合成樹脂材からなるノーズフィット片１８を左右シート１１，１２の中布１５上部の所定位置に貼着した。したがって、左右の小鼻部分の形状に合わせて左右のノーズフィット片１８を撓ませることができる。そのため、ノーズフィット片１８によって鼻の頭は押さえつけられず、左右ノーズフィット片１８間でマスク本体１０Ａが鼻に密着する。
加えて、裏布１６に口紅等が付着することを防ぎ、汚れが付着しても取り替えることで清潔に保てるように、裏布の裏面側の口唇が接する部分に、ガーゼ、パラフィン紙等の裏当てをすることも可能である。
【図面の簡単な説明】
【００１４】
【図１】本発明の実施例１に係る立体マスクを示す斜視図である
【図２】本発明の実施例１に係る立体マスクの左側面からの側面図である。
【図３】本発明の実施例１に係る立体マスクの左右シートの構造を説明する左右シートの正面図である。
【図４】本発明の実施例１に係る立体マスクの使用方法を説明する説明図である。
【符号の説明】
【００１５】
１０…立体マスク、１０Ａ…マスク本体、１１…左シート、１２…右シート、１３…耳掛紐、１３ａ…左耳掛紐、１３ｂ…右耳掛紐、１４…表布、１５…中布、１６…裏布、１７…帯部、１７ａ…表帯部、１７ｂ…裏帯部、１８…ノーズフィット片。
【図１】
2006043227.tif 000003
【図２】
2006043227.tif 000004
【図３】
2006043227.tif 000005
【図４】
2006043227.tif 000006